(57)【要約】【課題】記録媒体毎に最適な映像・音声設定を行う映像表示装置を提供する。【解決手段】記録媒体に格納された映像情報と媒体情報を読み出すＤＶＤ再生部２５と、ＤＶＤ再生部２５が読み出した映像信号を復号する映像処理部３１と、ＤＶＤ再生部２５が読み出した媒体情報と映像調整情報とを関連付けて記憶する不揮発性メモリー２１を備え、制御部２０は、ＤＶＤ再生部２５が読み出した媒体情報に基づいて、不揮発性メモリー２１から映像調整情報を取得し、映像投射部１０は取得した映像調整情報に基づいて調整された映像信号の表示を行う。【選択図】図２
2012098439.tif 000002
【特許請求の範囲】
【請求項１】
記録媒体に格納された映像情報と媒体情報とを読み出す映像情報取得部と、
前記映像情報取得部が読み出した前記映像情報を映像信号に復号する映像信号復号部と、
前記媒体情報と映像調整情報とを関連付けて記憶する情報記憶部と、
前記映像情報取得部が読み出した前記媒体情報に基づき、前記媒体情報に関連した前記映像調整情報を前記情報記憶部から取得する調整情報取得部と、
前記映像信号復号部が復号した前記映像信号が表す映像の画質を、前記調整情報取得部が取得した前記映像調整情報に基づいて調整する映像調整部と、
前記映像調整部が調整した前記映像信号に基づいて映像の表示を行う映像表示部と
を備えることを特徴とする映像表示装置。
【請求項２】
前記記録媒体に格納された音声情報を読み出す音声情報取得部と、
前記音声情報取得部が読み出した音声情報を音声信号に復号する音声信号復号部と、
前記音声信号が表す音声の音質を、音声調整情報に基づいて調整する音声調整部と、
前記音声調整部が調整した音声信号に基づいて音声の出力を行う音声出力部と、
をさらに備え、
前記情報記憶部は、前記媒体情報と、前記音声調整情報とを関連付けて記憶し、
前記調整情報取得部は、前記映像情報取得部が取得した前記媒体情報に基づいて、前記媒体情報に関連した前記音声調整情報を前記情報記憶部から取得する
ことを特徴とする請求項１に記載の映像表示装置。
【請求項３】
前記映像調整情報を設定する調整情報設定部をさらに備え、
前記調整情報設定部は、前記映像調整情報を前記映像情報取得部が取得した前記媒体情報と関連付けて前記情報記憶部に保存することを特徴とする請求項１または２に記載の映像表示装置。
【請求項４】
前記調整情報設定部は、前記音声調整情報をさらに設定可能であり、
前記音声調整情報を前記映像情報取得部が取得した前記媒体情報と関連付けて前記記憶部に保存することを特徴とする請求項３に記載の映像表示装置。
【請求項５】
前記調整情報設定部は、ユーザーがカスタマイズした前記映像調整情報を保存することを特徴とする請求項３または４に記載の映像表示装置。
【請求項６】
前記調整情報設定部は、ユーザーがカスタマイズした前記音声調整情報を保存することを特徴とする請求項４に記載の映像表示装置。
【請求項７】
前記媒体情報は、前記記録媒体毎に固有の情報であることを特徴とする請求項１〜５の何れか一項に記載の映像表示装置。
【請求項８】
記録媒体に記録された映像情報を再生して表示する表示装置における映像表示方法であって、
前記記録媒体に格納された前記映像情報と媒体情報とを読み出すステップと、
前記映像情報を映像信号に復号するステップと、
前記媒体情報に基づき、前記媒体情報に関連した映像調整情報を、前記媒体情報と前記映像調整情報とを関連付けて記憶する情報記憶部から取得するステップと、
前記映像信号が表す映像の画質を、前記映像調整情報に基づいて調整するステップと、
調整された前記映像信号に基づいて映像の表示を行うステップと、
を有することを特徴とする映像表示装置の映像表示方法。
【発明の詳細な説明】
【技術分野】
【０００１】
本発明は、映像表示装置、及び映像表示方法に関する。
【背景技術】
【０００２】
例えば、特開２００８−３３１３８号公報に記載されているように、映像表示装置に接続された外部装置としての映像再生装置を検出し、特定の外部装置が接続されたことを検出した場合に、映像表示装置の表示調整値を、特定の外部装置に対応した表示調整値に変更する映像表示装置が提案されている。
【０００３】
また、特開２０１０−６０８６３号公報に記載されているように、映像コンテンツを表示する映像表示装置において、映像コンテンツに着目し、映像コンテンツの属性情報に基づいて、その映像コンテンツに最適な映像設定を行うシステムが提案されている。
【先行技術文献】
【特許文献】
【０００４】
【特許文献１】特開２００８−３３１３８号公報
【特許文献２】特開２０１０−６０８６３号公報
【発明の概要】
【発明が解決しようとする課題】
【０００５】
しかし、特許文献１において、映像設定の変更については、映像再生機器の属性に最適化することは重要ではあるが、実際の見え方を反映する上では、再生する映像の内容に依存する部分が大きく、その部分が考慮されていなかった。
【０００６】
また、特許文献２においては、本システムはユーザーの嗜好情報を同時に分析して映像設定を行うものであり、システムとして冗長であった。また、映像コンテンツの属性情報に基づいて所定の映像設定を行うため、ユーザーにとって最適な設定が行われるとは限らない。
【課題を解決するための手段】
【０００７】
本発明は、上述の課題の少なくとも一部を解決するためになされたものであり、以下の形態または適用例として実現することが可能である。
【０００８】
［適用例１］本適用例に係る映像表示装置は、記録媒体に格納された映像情報と媒体情報とを読み出す映像情報取得部と、前記映像情報取得部が読み出した前記映像情報を映像信号に復号する映像信号復号部と、前記媒体情報と映像調整情報とを関連付けて記憶する情報記憶部と、前記映像情報取得部が読み出した前記媒体情報に基づき、前記媒体情報に関連した前記映像調整情報を前記情報記憶部から取得する調整情報取得部と、前記映像信号復号部が復号した前記映像信号が表す映像の画質を、前記調整情報取得部が取得した前記映像調整情報に基づいて調整する映像調整部と、前記映像調整部が調整した前記映像信号に基づいて映像の表示を行う映像表示部とを備えることを特徴とする。
【０００９】
本適用例によれば、再生している記録媒体を特定し、その記録媒体に関連した映像調整情報を呼び出すことで、容易に、その記録媒体に適した映像に設定することができる。
【００１０】
［適用例２］上記適用例に記載の映像表示装置において、前記記録媒体に格納された音声情報を読み出す音声情報取得部と、前記音声情報取得部が読み出した音声情報を音声信号に復号する音声信号復号部と、前記音声信号が表す音声の音質を、音声調整情報に基づいて調整する音声調整部と、前記音声調整部が調整した音声信号に基づいて音声の出力を行う音声出力部と、をさらに備え、前記情報記憶部は、前記媒体情報と、前記音声調整情報とを関連付けて記憶し、前記調整情報取得部は、前記映像情報取得部が取得した前記媒体情報に基づいて、前記媒体情報に関連した前記音声調整情報を前記情報記憶部から取得することを特徴とする。
【００１１】
本適用例によれば、さらにその記録媒体に関連した音声調整情報を呼び出すことで、容易にその記録媒体に適した音声に設定することができる。
【００１２】
［適用例３］上記適用例に記載の映像表示装置において、前記映像調整情報を設定する調整情報設定部をさらに備え、前記調整情報設定部は、前記映像調整情報を前記映像情報取得部が取得した前記媒体情報と関連付けて前記情報記憶部に保存することを特徴とする。
【００１３】
本適用例によれば、再生した記録媒体の媒体情報と、その記録媒体に対して映像調整した映像調整情報とを記憶することができる。したがって、一度再生した記録媒体については、次回再生時に、自動で映像調整を行うことができる。これによって、ユーザーが意識せずに望みの画質を得ることができる。
【００１４】
［適用例４］上記適用例に記載の映像表示装置において、前記調整情報設定部は、前記音声調整情報をさらに設定可能であり、前記音声調整情報を前記映像情報取得部が取得した前記媒体情報と関連付けて前記記憶部に保存することを特徴とする。
【００１５】
本適用例によれば、再生した記録媒体の媒体情報と、その記録媒体に対して音声調整した音声調整情報とを記憶できる。したがって一度再生した記録媒体については、次回再生時に、自動で音声調整を行うことができる。これによって、ユーザーが意識せずに望みの音質を得ることができる。
【００１６】
［適用例５］上記適用例に記載の映像表示装置において、前記調整情報設定部は、ユーザーがカスタマイズした前記映像調整情報を保存することを特徴とする。
【００１７】
本適用例によれば、映像調整情報について、ユーザーが周囲の状況に応じて、映像調整情報をカスタマイズすることが可能となる。これによって、より望ましい設定で映像を再生することができる。
【００１８】
［適用例６］上記適用例に記載の映像表示装置において、前記調整情報設定部は、ユーザーがカスタマイズした前記音声調整情報を保存することを特徴とする。
【００１９】
本適用例によれば、音声調整情報について、ユーザーが周囲の状況に応じて、音声調整情報をカスタマイズすることが可能となる。これによって、より望ましい設定で音声を再生することができる。
【００２０】
［適用例７］上記適用例に記載の映像表示装置において、前記媒体情報は、前記記録媒体毎に固有の情報であることを特徴とする。
【００２１】
本適用例によれば、記録媒体毎に固有の情報である媒体情報によって、記録媒体を特定することができるため、記録媒体毎に最適な映像設定を行うことが可能となり、これによって、ユーザーが望みの画質でディスクを再生することが可能となる。
【００２２】
［適用例８］記録媒体に記録された映像情報を再生して表示する表示装置における映像表示方法であって、前記記録媒体に格納された前記映像情報と媒体情報とを読み出すステップと、前記映像情報を映像信号に復号するステップと、前記媒体情報に基づき、前記媒体情報に関連した映像調整情報を、前記媒体情報と前記映像調整情報とを関連付けて記憶する情報記憶部から取得するステップと、前記映像信号が表す映像の画質を、前記映像調整情報に基づいて調整するステップと、調整された前記映像信号に基づいて映像の表示を行うステップと、を有することを特徴とする映像表示装置の映像表示方法
【００２３】
本適用例によれば、再生している記録媒体を特定し、その記録媒体に対してそれまでにユーザーが設定した映像調整を呼び出すことで、容易に、ユーザーが望んだ映像に設定することができる。
【図面の簡単な説明】
【００２４】
【図１】第１実施形態に係るプロジェクターの斜視図である。
【図２】第１実施形態に係るプロジェクターのブロック図である。
【図３】媒体の情報を取得し、対応する設定情報を読み出して設定するときの動作フローチャートである。
【発明を実施するための形態】
【００２５】
以下、映像表示装置の一つであるプロジェクターについて、図面を参照して説明する。本実施形態のプロジェクターは、ＤＶＤ（Digital Versatile Disc）を再生可能なＤＶＤ再生部を備えており、ＤＶＤメディアに記録されている映像情報に基づく映像を投射するとともに、音声情報に基づく音声を出力することができる。
【００２６】
（第１実施形態）
図１は、本実施形態のプロジェクターの斜視図である。図１に示すように、プロジェクター１は、外装を構成する筐体２によって装置本体が覆われた構成を有している。筐体２の前面２ｆには、外部のスクリーン等に映像（映像光）を投射する投射レンズ１３が露出しており、投射レンズ１３の下側には、記録媒体であるＤＶＤメディアを挿入するためのディスクスロット３が設けられている。また、筐体２の前面２ｆには、リモコン２３から送信される操作信号を受信するための操作信号受信部２４が配置されている。
【００２７】
筐体２には、複数の操作キー（操作ボタン）を備えて構成される操作入力部２２が設けられており、プロジェクター１に対して各種指示を行うことが可能になっている。操作入力部２２を構成する複数の操作キーのうち、ディスクスロット３からＤＶＤメディアを排出するための操作キー（イジェクトキー）は、筐体２の前面２ｆ（ディスクスロット３の近傍）に配置されており、それ以外の操作キーは、筐体２の上面２ｔに配置されている。また、リモコン２３にも、操作入力部２２と同様、プロジェクター１に対して各種指示を行うための複数の操作キーが備えられており、プロジェクター１を遠隔操作することが可能になっている。
【００２８】
図２は、本実施形態に係るプロジェクター１の機能ブロック図である。プロジェクター１は、ＤＶＤ再生部２５、映像処理部３１、音声処理部３２、映像投射部１０、音声出力部３３、制御部２０、不揮発性メモリー２１、操作入力部２２を備える。
【００２９】
ＤＶＤ再生部２５は、ＤＶＤメディアＭをセットするトレーや光学ヘッドなどを適宜備え、ＤＶＤメディアＭに格納されている映像情報及び音声情報を読み取って、映像信号及び音声信号として再生する。再生された映像信号及び音声信号は、それぞれ映像処理部３１、音声処理部３２に出力される。
また、ＤＶＤ再生部２５は、ＤＶＤメディアＭに格納されているディスク特定情報（媒体情報）を、制御部２０に伝達する。
本発明における「記録媒体」は、ＤＶＤメディアＭがこれに相当する。
【００３０】
映像処理部３１は、ＤＶＤ再生部２５から受け取った映像信号と制御部２０からの指示に基づいて出力映像信号を生成し、ＯＳＤ処理部３４を介して、映像投射部１０に出力する。さらに、映像処理部３１は、制御部２０の指示に基づいて、明るさ、コントラスト、シャープネス、色合い等を調整するための画質調整処理等を行う。
音声処理部３２は、ＤＶＤ再生部２５から受け取った音声信号と制御部２０からの指示に基づいて出力音声信号を生成し、音声出力部３３に出力する。
映像処理部３１、及び音声処理部３２は、内蔵したプログラムを実行することにより、上記の処理を行うマイクロプロセッサーや、専用のハードウェア等により構成される。
【００３１】
映像投射部１０は、光源１１、光変調装置としての３つの液晶ライトバルブ１２Ｒ，１２Ｇ，１２Ｂ、投射光学系としての投射レンズ１３、ライトバルブ駆動部１４等で構成されている。映像投射部１０は、映像表示部に相当するものであり、光源１１から射出された光を、液晶ライトバルブ１２Ｒ，１２Ｇ，１２Ｂで変調して映像（投射像）を形成し、この映像を投射レンズ１３から投射して外部のスクリーンＳＣ等に表示する。
【００３２】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。ライトバルブ駆動部１４が、入力される出力映像信号に応じた駆動電圧を各画素に印加すると、各画素は、映像情報に応じた光透過率に設定される。このため、光源１１から射出された光は、この液晶ライトバルブ１２Ｒ，１２Ｇ，１２Ｂを透過することによって変調され、映像情報に応じた映像光が色光毎に形成される。形成された各色の映像光は、図示しない色合成光学系によって画素毎に合成されてカラーの映像光となった後、投射レンズ１３から拡大投射される。
【００３４】
音声出力部３３は、スピーカーなどの音声再生に必要な構成を適宜備え、音声処理部３２から出力音声信号を受け取り、音声を出力する。
【００３５】
制御部２０は、操作入力部２２又はリモコン２３の操作情報に基づいて、ＤＶＤ再生部２５、映像処理部３１、音声処理部３２、映像投射部１０、音声出力部３３の動作を制御する。制御部２０は、その機能を実現する回路デバイスのようなハードウェアで構成することもできるし、マイコンやＣＰＵ（Ｃｅｎｔｒａｌ  Ｐｒｏｃｅｓｓｉｎｇ  Ｕｎｉｔ）のような演算装置とその動作を規定する制御プログラムで構成することもできる。
【００３６】
ＯＳＤ処理部３４は、制御部２０の指示に基づいて、スクリーンＳＣに投写されている映像（投射像）上に、メニュー映像やメッセージ映像等のＯＳＤ（オンスクリーンディスプレイ）映像を重畳して表示するための処理を行う。ＯＳＤ処理部３４は、図示しないＯＳＤメモリーを備えており、ＯＳＤ映像を形成するための図形やフォント等を表すＯＳＤ映像情報を記憶している。制御部２０が、ＯＳＤ映像の重畳表示を指示すると、ＯＳＤ処理部３４は、必要なＯＳＤ映像情報をＯＳＤメモリーから読み出し、投写映像上の所定の位置にＯＳＤ映像が重畳されるように、映像処理部３１から入力される映像情報にこのＯＳＤ映像情報を合成する。
【００３７】
不揮発性メモリー２１は、ＤＶＤメディアＭを特定するディスク特定情報（媒体情報）、及び映像処理部３１または音声処理部３２の設定情報を関連付けて記憶している。
【００３８】
操作入力部２２は、プロジェクター１の本体筐体の外面に設けられ、ユーザーの操作入力を受け付けるためのものである。
ユーザーが操作入力部２２に配置されたキーを押下等すると、それに対応した操作信号が制御部２０に出力される。制御部２０は、操作入力部２２が出力した操作信号を受け取り、対応する制御動作を実行する。
【００３９】
光源制御部３５は、制御部２０の指示に基づいて、光源１１に対する電力の供給と停止とを制御し、光源１１の点灯及び消灯を切り替える。
【００４０】
本発明における「映像情報取得部」、「映像信号複合部」および「音声信号複合部」はＤＶＤ再生部２５が相当し、「情報記憶部」は不揮発性メモリー２１が相当し、「調整情報取得部」は制御部２０が相当し、「映像調整部」は映像処理部３１が相当し、「映像表示部」は映像投射部１０が相当し、「音声情報取得部」はＤＶＤ再生部２５が相当し、「音声調整部」は音声処理部３２が相当し、「音声出力部」は音声出力部３３が相当し、「調整情報設定部」は制御部２０および操作入力部２２、または操作信号受信部２４が相当する。
【００４１】
次に、本実施形態に係るプロジェクター１の動作を説明する。
【００４２】
図３は、プロジェクター１がＤＶＤメディアＭを再生するときの動作フローである。以下、図３の各ステップについて説明する。
【００４３】
ユーザーは、ＤＶＤ再生部２５のディスクスロット３よりＤＶＤメディアＭをセットし、操作入力部２２を操作してＤＶＤメディアＭを再生すべき旨を指示する。その旨の操作信号が制御部２０に出力され、本動作フローが開始する。
【００４４】
ステップＳ２０１において、ＤＶＤ再生部２５は、ＤＶＤメディアＭからディスク特定情報を取得する。ディスク特定情報とは、ディスクに書かれている特定のＩＤ、タイトル名、チャプターおよびトラックの長さ・数などの情報である。取得した情報は、制御部２０に送られる。
【００４５】
ステップＳ２０２において、制御部２０は、送られてきたディスク特定情報がディスクを特定できる情報であるかどうか、すなわち有効な情報であるかどうかを判断する。有効な情報であると判断された場合（Ｙｅｓ）は、ステップＳ２０３に進み、判断されなかった場合（Ｎｏ）は、ステップＳ２１０に進む。
【００４６】
ステップＳ２０３において、制御部２０はディスク特定情報に基づいて、不揮発性メモリー２１に保存されている映像・音声調整情報を取得する。
【００４７】
ステップＳ２０４において、制御部２０が、不揮発性メモリー２１から、ディスク特定情報に基づく映像・音声調整情報が取得できた場合（Ｙｅｓ）には、ステップＳ２０５に進む。取得できなかった場合（Ｎｏ）には、ステップＳ２０９に進む。
【００４８】
ステップＳ２０５において、映像・音声調整情報が取得できた場合、ＯＳＤ処理部３４はユーザーに対して、映像・音声調整情報を編集するか、編集しないでそのまま使用するかの指示を促す画像を生成して、映像投射部１０を介して表示する。
ユーザーは、指示に対して、映像・音声調整情報を編集したい場合（Ｙｅｓ）は、ステップＳ２０６に進む。編集しないでそのまま利用したい場合（Ｎｏ）は、ステップＳ２０７に進む。
【００４９】
ステップＳ２０６において、ユーザーは操作入力部２２または操作信号受信部２４を通して、制御部２０に対して映像・音声調整情報について、変更を行う。制御部２０は、変更された映像・音声調整情報について、不揮発性メモリー２１に保存を行い、ステップＳ２０７に進む。
【００５０】
ステップＳ２０７において、制御部２０は、不揮発性メモリー２１に保存された映像・音声調整情報に基づき、映像処理部３１、音声処理部３２に対して、映像音声調整の指示を行う。映像処理部３１、音声処理部３２は、指示に基づいて映像・音声の調整を行う。
映像の調整項目としては、明るさ、コントラスト、色の濃さ、色合い、シャープネス、色温度、カラーモード、アスペクト比などがある。音声の調整項目としては、音量、サラウンド、高域のバランスまたは低域のバランスなどがある。
【００５１】
ステップＳ２０８において、制御部２０は、ＤＶＤ再生部２５にＤＶＤメディアＭの再生を開始させる。ＤＶＤ再生部２５はＤＶＤメディアＭに格納された映像・音声情報を再生する。映像処理部３１、音声処理部３２、映像投射部１０、音声出力部３３は、その映像・音声信号に基づきスクリーンＳＣに映像を投射し、音声を再生する。
【００５２】
ステップＳ２０９において、制御部２０は、デフォルトの映像・音声調整情報を、ディスク特定情報に関連付けて不揮発性メモリー２１に保存し、ステップＳ２１０に進む。
【００５３】
ステップＳ２１０において、ステップＳ２０４で特定の映像・音声調整情報を不揮発性メモリー２１から取得できず、ステップＳ２０９で新たに映像・音声調整情報を保存した場合は、デフォルト設定を行う。デフォルト設定が複数用意されている場合は、ユーザーは、操作入力部２２を通して、用意された中の１つの設定を選択し、制御部２０に指示する。
【００５４】
ステップＳ２１１において、制御部２０は、ステップＳ２１０で設定された映像・音声調整情報に基づき、映像処理部３１、音声処理部３２に対して、映像・音声調整の指示を行う。映像処理部３１、音声処理部３２は、指示に基づいて映像・音声の調整を行う。
【００５５】
以上説明したように、本実施形態のプロジェクター１によれば、以下の効果を得ることができる。
【００５６】
（１）本実施形態のプロジェクター１によれば、再生している記録媒体を特定し、その記録媒体に対してそれまでにユーザーが設定した映像調整情報を呼び出すことで、容易に、ユーザーが望んだ映像に設定することができる。また音声についても同様に、その記録媒体に対してそれまでにユーザーが設定した音声調整情報を呼び出すことで、容易にユーザーが望んだ音声に設定することができる。
【００５７】
（２）本実施形態のプロジェクター１によれば、再生した記録媒体の媒体情報と、その記録媒体に対して映像調整した映像調整情報とを記憶することができる。したがって、一度再生した記録媒体については、次回再生時に、自動で映像調整を行うことができる。これによって、ユーザーが意識せずに望みの画質を得ることができる。同様に、再生した記録媒体の媒体情報と、その記録媒体に対して音声調整した音声調整情報とを記憶することができる。したがって一度再生した記録媒体については、次回再生時に、自動で音声調整を行うことができる。これによって、ユーザーが意識せずに望みの音質を得ることができる。
【００５８】
（３）本実施形態のプロジェクター１によれば、ユーザーは画像調整情報、または音声調整情報をカスタマイズすることができ、媒体情報に関連付けて保存することができる。
【００５９】
（変形例）
上記実施例は、以下のように変更してもよい。
【００６０】
上記実施形態では、ＤＶＤメディアＭに記録されている情報の読み取りが可能なＤＶＤ再生部２５を備えた構成を示しているが、ＤＶＤ以外の光ディスク（例えば、ブルーレイディスク）、各種半導体メモリー、他の記録媒体に記録されている情報の読み取りが可能な構成であってもよい。
【００６１】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラーをマイクロミラー毎に制御することにより、光源から射出した光を変調する微小ミラーアレイデバイス等を用いることもできる。
【００６２】
上記実施形態では、光源１１は、放電型の光源ランプ１１ａによって構成されているが、ＬＥＤ（Light Emitting Diode）光源等の固体光源や、その他の光源を用いることもできる。
【００６３】
上記実施形態では、画像表示装置として、光源１１から射出された光を変調して投射するプロジェクター１を例にして説明しているが、透過型のスクリーンを一体的に備えたリアプロジェクター、或いは、液晶ディスプレイ、プラズマディスプレイ、有機ＥＬ（Electro Luminescence）ディスプレイ等、他の画像表示装置に適用することも可能である。
【符号の説明】
【００６４】
１…プロジェクター、２…筐体、３…ディスクスロット、１０…映像投射部、１１…光源、１１ａ…光源ランプ、１１ｂ…リフレクター、１２Ｒ，１２Ｇ，１２Ｂ…液晶ライトバルブ、１３…投射レンズ、１４…ライトバルブ駆動部、２０…制御部、２１…不揮発性メモリー、２２…操作入力部、２３…リモコン、２４…操作信号受信部、２５…ＤＶＤ再生部、２９…データ読取部、３１…映像処理部、３２…音声処理部、３３…音声出力部、３４…ＯＳＤ処理部、３５…光源制御部、Ｍ…ＤＶＤメディア、ＳＣ…スクリーン。
【図１】
2012098439.tif 000003
【図２】
2012098439.tif 000004
【図３】
2012098439.tif 000005